(57)【要約】ランセット装置とセンサ装置が別々あるいは、それぞれの大きさのままで合体して携帯していたため携帯性及び、光学式血糖計では少量の血液を滴下すると滴下部全体に血液が広がらず、この状態で光学測定すると呈色変化が起こっていない部分の光学的情報まで測定するため、測定ノイズとなっていた。  筐体８と、光を出射する光源６と、光を検出する光検出器１０と、脱着可能なランセット針５を駆動するランセット駆動機構１、２、３、４とを備え、筐体８の先端部に設けられた開口部９をランセット針５が出入りし、光源６から出射された光は、開口部９から出射し、開口部９に入射した光は、検出器１０に到達する。
2004110275.tif 000002
【特許請求の範囲】
【請求項１】
筐体と、
前記筐体に収納され、光を出射する光源と、
前記筐体に収納され、光を検出する光検出器と、
前記筐体に収納され、ランセット針を駆動するランセット駆動機構とを備え、
前記筐体に設けられた開口部を前記ランセット針が出入りし、
前記光源から出射された前記光は、前記開口部から出射し、
前記開口部に入射した光は、前記検出器に到達する、生体情報測定装置。
【請求項２】
前記開口部から出射した光は、センサーの試薬部で反射吸収され、
前記開口部に入射した光は、前記センサーの試薬部で反射した光である、請求項１記載の生体情報測定装置。
【請求項３】
前記ランセット針の内部は光を透過させることが出来、
前記光源から出射された前記光は、前記ランセット針の内部を透過して前記開口部から出射され、
前記開口部に入射する前記光は、前記ランセット針の内部を透過して前記光検出器に到達する、請求項１記載の生体情報測定装置。
【請求項４】
前記ランセット針の内部には、光を導く光ファイバが挿入されている、請求項３記載の生体情報測定装置。
【請求項５】
前記光源から出射された前記光は、光ファイバによって前記開口部まで導かれ、前記開口部から出射し、
前記開口部に入射した前記光は、光ファイバによって前記光検出器まで導かれる、請求項１記載の生体情報測定装置。
【請求項６】
前記筐体に収納され、前記検出器により検出された結果から生体情報を算出する演算部と、
前記筐体に収納され、算出された前記生体情報を表示する表示部とを備えた、請求項１記載の生体情報測定装置。
【請求項７】
筐体と、
前記筐体に収納され、光を出射する光源と、
前記筐体に収納され、光を検出する光検出器と、
前記筐体に収納され、ランセット針を駆動するランセット駆動機構とを備えた生体情報測定装置を用いた生体情報測定方法であって、
前記筐体に設けられた開口部から前記ランセット針を出入りさせるステップと、
前記光源から出射された前記光を、前記開口部から出射させるステップと、
前記開口部に入射した光を、前記検出器に到達させるステップとを備えた、生体情報測定方法。
【発明の詳細な説明】
【技術分野】  本発明は、血糖値などの生体情報を光学的に計測する生体情報測定装置、針、及び生体情報測定方法に関するものである。
【背景技術】  通常は、血糖値測定の場合、ランセット装置と測定器は別々な装置であり、それぞれ独立して使用していた。光学式の血糖計では、血液を反応部に滴下すると血液が血球フィルタを通して反応試薬と反応し、その呈色変化を測定することにより血液中に含まれているグルコース濃度を測定していた。
すなわち、光学式の血糖計を用いて血糖値を測定する場合、まずはじめに、ランセット装置を用いて、採血する。ランセット装置は、例えばランセット針を駆動するためのスプリングを緊張させることにより動作可能になる。ランセット装置のスプリングを緊張させた後、指裏や耳朶のような採血を行う身体の部位にランセット装置を移動する。そして、ランセット装置に設けられているトリガボタンを押すことにより、スプリングが解放されて、ランセット針が採血を行う身体の部位を穿刺する。
次に、ランセット針を穿刺することによって出血した血液を光学式血糖計に装着された光学式血糖センサの反応部に滴下する。光学式血糖センサの反応部に滴下された血液は、血球フィルタを通して反応薬と反応して、呈色変化を示す。次に、光学式血糖計を動作させて、光学式血糖センサの反応部の呈色変化を測定する。このようにして血液中に含まれているグルコース濃度を測定する。
このように、従来の光学式の血糖計では、ランセット装置と測定器（光学式血糖計）とは別々の装置であった。
また、血糖センサ測定器とランセットデバイスを合体化したものがあった（例えば特表２００１−５２４６８０号公報を参照。）。
従来の技術では、ランセット装置とセンサ装置が別々あるいは、それぞれの大きさのままで合体して携帯していたため携帯性に課題があった。
一方、光学式血糖計などの生体情報を測定する装置では少量の血液を滴下すると滴下部全体に血液が広がらず、この状態で光学測定すると呈色変化が起こっていない部分の光学的情報まで測定するため、測定ノイズとなっていた。
【発明の開示】
本発明は、上記課題を考慮し、携帯性のよい生体情報測定装置、及び生体情報測定方法を提供することを目的とするものである。
また、本発明は、上記課題を考慮し、少量の血液を滴下した場合であっても正確に測定することが出来る生体情報測定装置、針、及び生体情報測定方法を提供することを目的とするものである。
上述した課題を解決するために、第１の本発明は、筐体と、
前記筐体に収納され、光を出射する光源と、
前記筐体に収納され、光を検出する光検出器と、
前記筐体に収納され、ランセット針を駆動するランセット駆動機構とを備え、
前記筐体に設けられた開口部を前記ランセット針が出入りし、
前記光源から出射された前記光は、前記開口部から出射し、
前記開口部に入射した光は、前記検出器に到達する、生体情報測定装置である。
また、第２の本発明は、前記開口部から出射した光は、センサーの試薬部で反射吸収され、
前記開口部に入射した光は、前記センサーの試薬部で反射した光である、第１の本発明の生体情報測定装置である。
また、第３の本発明は、前記ランセット針の内部は光を透過させることが出来、
前記光源から出射された前記光は、前記ランセット針の内部を透過して前記開口部から出射され、
前記開口部に入射する前記光は、前記ランセット針の内部を透過して前記光検出器に到達する、第１の本発明の生体情報測定装置である。
また、第４の本発明は、前記ランセット針の内部には、光を導く光ファイバが挿入されている、第３の本発明の生体情報測定装置である。
また、第５の本発明は、前記光源から出射された前記光は、光ファイバによって前記開口部まで導かれ、前記開口部から出射し、
前記開口部に入射した前記光は、光ファイバによって前記光検出器まで導かれる、第１の本発明の生体情報測定装置である。
また、第６の本発明は、前記筐体に収納され、前記検出器により検出された結果から生体情報を算出する演算部と、
前記筐体に収納され、算出された前記生体情報を表示する表示部とを備えた、第１の本発明の生体情報測定装置である。
また、第７の本発明は、筐体と、
前記筐体に収納され、光を出射する光源と、
前記筐体に収納され、光を検出する光検出器と、
前記筐体に収納され、ランセット針を駆動するランセット駆動機構とを備えた生体情報測定装置を用いた生体情報測定方法であって、
前記筐体に設けられた開口部から前記ランセット針を出入りさせるステップと、
前記光源から出射された前記光を、前記開口部から出射させるステップと、
前記開口部に入射した光を、前記検出器に到達させるステップとを備えた、生体情報測定方法である。
また、第８の本発明は、生体情報の測定に用いられる針であって、
内部が中空であるまたは溝が設けられた針本体と、
前記針の内部または前記溝に挿入された、光を導く光ファイバとを備えた、針である。
【図面の簡単な説明】  図１は、本発明の第１の実施の形態における生体情報測定装置の構成を示す図である。
図２は、
（ａ）本発明の第１の実施の形態における生体情報測定装置の穿刺前の断面図を示す図である。
（ｂ）本発明の第１の実施の形態における生体情報測定装置の穿刺後の断面図を示す図である。
図３は、本発明の第２の実施の形態における生体情報測定装置の構成を示す図である。
図４は、
（ａ）本発明の第３の実施の形態における生体情報測定装置の穿刺前の断面図を示す図である。
（ｂ）本発明の第３の実施の形態における生体情報測定装置の穿刺後の断面図を示す図である。
【符号の説明】
１  バネ圧縮用ボタン
２  バネ
３  穿刺針ホルダ
４  トリガボタン
５  穿刺針
５ａ  穿刺針
６  光源
７  電池
８  ランセット本体
９  開口部
１０  検出器
１１  演算部
１２  表示部
１４  光ファイバ
１５  光ファイバ
【発明を実施するための最良の形態】  以下に、本発明の実施の形態を図面を参照して説明する。
（第１の実施の形態）
図１は、第１の実施の形態における生体情報測定装置２１の構成を示す図である。また、図２（ａ）、（ｂ）に生体情報測定装置２１の断面図を示す。図２（ａ）は、穿刺前の生体情報測定装置２１の断面図であり、図２（ｂ）は、穿刺後の生体情報測定装置２１の断面図である。図１では、理解を容易にするために、特にランセット本体８の開口部９付近を拡大した図も併記している。
図２（ａ）、図２（ｂ）に示すように、生体情報測定装置２１の筐体であるランセット本体８には、バネ２、穿刺針ホルダ３、光源６、電池７、検出器１０、演算部１１、及び表示部１２が内蔵されている。
また、ランセット本体８の先端部には、穿刺針５が出入りする開口部９が設けられており、ランセット本体８の開口部９の反対側には、バネ圧縮用ボタン１が設けられており、バネ圧縮用ボタン１はバネ２を圧縮可能なようにバネ２と接続している。そして、ランセット本体８の側面には、トリガボタン４が配置されている。穿刺針ホルダ３には、穿刺針ホルダ３から脱着可能な穿刺針５が装着されている。この穿刺針５の内部は、図１の中空１３に示すように中空になっており、穿刺針５の内部を光が通過可能な状態になっている。
穿刺針５の内部直径はいずれの大きさでもよいが、０．５ｍｍ以内であることが好ましい。また、光源あるいは、検出器から針先端までの距離はできる限り短い方がよいが、１０ｍｍ以内であることが好ましい。
穿刺針ホルダ３には、演算部１１が内蔵されており、また、穿刺針ホルダ３には、光源６、電池７、及び検出器１０が装着されている。
また、電池７と、光源６、検出器１０、演算部１１、及び表示部１２とは、図示していない電源供給配線により接続されている。また、検出器１０と演算部１１とは信号をやりとりするための信号配線により接続されており、演算部１１と表示部１２とは、信号をやりとりするための信号配線により接続されている。
また、光源６としては、レーザーダイオード、ＬＥＤなどを用いることが出来、検出器１０としては、フォトダイオード、ＣｄＳなどの光電変換素子などを用いることが出来る。
なお、本実施の形態のバネ圧縮用ボタン１、バネ２、穿刺針ホルダ３、トリガボタン４は、本発明のランセット駆動機構の例であり、本実施の形態のランセット本体８は本発明の筐体の例であり、本実施の形態の検出器１０は本発明の光検出器の例であり、本実施の形態の穿刺針５は本発明のランセット針の例である。
次に、このような本実施の形態の動作を説明する。
まず、生体情報測定装置２１が指裏や耳朶のような採血を行う身体の部位を穿刺する動作について説明する。
穿刺針５としては２８Ｇ（ゲージ）のものを使用する。まず、この穿刺針５を利用して、指先をランシングする。すなわち、生体情報測定装置２１は、最初は図２（ｂ）の状態にあるとする。ただし、穿刺針５はまだ穿刺針ホルダ３には装着されていない。そして、バネ２は伸長した状態にある。まず、この状態で、穿刺針ホルダ３に穿刺針５を装着する。そうすると、生体情報測定装置２１は、図２（ｂ）の状態になる。
次に、ランセット本体８を保持し、バネ圧縮用ボタン１をランセット本体８とは反対側に引っ張る。そうすると、バネ圧縮用ボタン１がランセット本体８とは反対側に移動し、それにともないバネ２が圧縮される。穿刺針ホルダ３に設けられている突起が、トリガボタン４よりバネ圧縮用ボタン１の側に移動するまで、バネ圧縮用ボタン１を引っ張る。そうすると、穿刺針ホルダ３に設けられている突起がトリガボタン４に引っかかって、バネ２が圧縮したまま固定される。そして、穿刺針ホルダ３に設けられている突起が、トリガボタン４よりバネ圧縮用ボタン１の側に移動するまで、バネ圧縮用ボタン１を引っ張った後、バネ圧縮用ボタン１をランセット本体８に密着する位置に戻す。このようにして、図２（ａ）の状態が得られる。
次に、生体情報測定装置２１を指裏や耳朶のような採血を行う身体の部位に移動し、ランセット本体８に設けられた開口部９を採血を行う身体の部位に位置決め後、トリガボタン４を押す。すると、穿刺針ホルダ３に設けられた突起がトリガボタン４から解放され、バネ２が伸長し、開口部から穿刺針５が出て行き、採血を行う身体の部位を穿刺針５が穿刺する。このようにして、生体情報測定装置２１は、図２（ｂ）の状態になる。
また、穿刺針５を採血を行う身体の部位に穿刺した際、採血を行う身体の部位から出血した血液は穿刺針５にほとんど付着しない。従って、穿刺針５の内部は、穿刺後も中空のままである。
以上、生体情報測定装置２１が指裏や耳朶のような採血を行う身体の部位を穿刺する動作について説明した。
次に、血糖値を計測する際の動作を説明する。
すなわち、採血を行う身体の部位から出血した血液を図１の光学式血糖センサ２０の反応部に滴下する。そうすると、光学式血糖センサ２０の反応部に滴下された血液は、血球フィルタを通して反応薬と反応して、呈色変化を示す。
血糖値を計測する際、まず、生体情報測定装置２１を、図１に示すように、光学式血糖センサ２０の反応部に移動し、位置決めする。このとき生体情報測定装置２１は図２（ｂ）の状態にある。
次に、生体情報測定装置２１に設けられている計測ボタン（図示せず）を押すことにより、光源６から光が出射される。出射された光は、中空になっている穿刺針５の内部を通過した後、開口部９から出射され、光学式血糖センサ２０の反応部に照射される。そして、反応部に照射された光は、反応部で反射吸収して、開口部９に入射した後、中空になっている穿刺針５の内部を通過し、検出器１０に到達する。検出器１０で検出された信号が演算部１１に送られる。すなわち、６０ヘルツ周期で光源６を光学式血糖センサ２０に穿刺針５を通して照射するとともに、同時に位相差の違う６０ヘルツで同じ穿刺針５を通して測定する。
演算部１１は、検出器１０から送られてきた光量などの光学的情報を示す信号から、演算部１１が保持しているメモリ内に予め保持している、光量などの光学的情報とグルコース濃度とを対応付ける対応表を利用して、グルコース濃度１１を求める。そして、演算部１１が求めたグルコース濃度に関する情報は、表示部１２に送られる。
表示部１２は、演算部１１から送られてきたグルコース濃度を表示する。
また、光学式血糖センサ２０の反応部に少量の血液を滴下すると滴下部全体に血液が広がらず、光学式血糖センサ２０の反応部に呈色変化が起こっていない部分が生じることがある。
このような場合、従来の光学式血糖計では、光学式血糖センサを光学式血糖計に装着して計測するために、光学式血糖計から出射された光が光学式血糖センサの反応部の呈色反応が起こっていない部分に照射された場合には、測定ノイズとなっていた。
ところが、本実施の形態の生体情報測定装置２１では、光学式血糖センサを生体情報測定装置２１に装着しないので、光源６から出射され、穿刺針５の内部を通過した光が、光学式血糖センサ２０の反応部の呈色反応が起こっていない部分に照射された場合であっても、生体情報測定装置２１を移動させることにより、穿刺針５の内部を通過した光が、呈色反応が起こっている部分に照射されるように調整することが容易に出来る。すなわち、光学式血糖センサ２０の反応部に照射された光のスポットが目視により確認出来るので、生体情報測定装置２１を移動させることにより、この光のスポットを呈色反応が起こっている位置に移動させることが出来る。また、さらに、穿刺針５の先端から光が光学式血糖センサ２０に照射されるので、光のスポットを光学式血糖センサ２０の反応部の呈色反応が起こっている部分に位置決めする際の目安として穿刺針５を利用することも出来る。この光のスポットが呈色反応が起こっている位置に移動した後に、再度計測ボタンを押すことにより、呈色変化が起こっていない部分の光学的情報を測定することがなくなる。従って、測定ノイズは発生しない。このように本実施の形態の生体情報測定装置２１は、光学式血糖センサ２０に対して自由に移動することが出来るので、容易に呈色反応が起こっている部分の光学的情報を測定することが出来る。
なお、本実施の形態では、穿刺針５は中空であるとして説明したが、これに限らず、溝を有しているような形状であっても構わない。
このように、本実施の形態の生体情報測定装置２１は、中空針あるいは溝を有している穿刺可能な形状を有している穿刺針５の溝あるいは、中空孔を通して光学式血糖センサ２０に光源をあて、その結果生じた反射光、あるいは蛍光を穿刺針５の中空孔または溝を通して検出器１０に導入することができる。
本実施の形態の生体情報測定装置２１は、ランセット装置と測定器とが一体化された構造を有しているので、携帯性が向上する。また、光学式血糖センサ２０上で血液と試薬との反応部のみに照射光を当てることができ、未反応部からのノイズを除去することができる。
なお、本実施の形態では血糖値を計測するとして説明したが、これに限らない。血糖値以外の他の生体情報を計測しても構わない。
なお、本実施の形態では、計測ボタンを一回目に押した際に光源６から光が出射され、計測ボタンを二回目に押した際に、検出器１０で光量などの光学的情報の検出が行われるとして説明したが、これに限らない。計測ボタンを一回目に押した際、光源６から光が出射され、同時に検出器１０で光量などの光学的情報の検出が行われ、演算部１１でグルコース濃度などの生体情報が求められ表示部１２にグルコース濃度などの生体情報が表示される。そして、このような動作を所定時間の間繰り返し、所定時間が経過後、求められたグルコース濃度などの生体情報の最大値で表示部１２がホールドするようにする。このようにすれば、生体情報測定装置２１を、光学式血糖センサ２０に対して自由に移動したとしても、求められたグルコース濃度などの生体情報の最大値でホールドし、表示部１２にホールドした最大値が表示されるので、光学式血糖センサ２０の反応部の十分呈色反応が生じた部分に穿刺針５からの光が照射された際のグルコース濃度などの生体情報の値を知ることが出来る。
なお、本実施の形態では、生体情報測定装置２１の筐体であるランセット本体８には、演算部１１、及び表示部１２が内蔵されているとして説明したが、これに限らない。生体情報測定装置２１の筐体であるランセット本体８に、演算部１１、及び表示部１２が内臓されていない構成であっても構わない。このような場合、演算部１１及び表示部１２は、外部のパーソナルコンピュータなどの装置に設けられているものとする。そして、生体情報測定装置２１は、検出器１０から送られてきた光量などの光学的情報を示す信号を外部のパーソナルコンピュータなどの装置に送り、外部のパーソナルコンピュータなどの装置が、演算部１１及び表示部１２の機能を果たすものとする。また、このような場合、生体情報測定装置２１は、検出器１０から送られてきた光量などの光学的情報を示す信号を外部のパーソナルコンピュータなどの装置に送るための通信インターフェースを備えているものとする。この通信インターフェースは、無線通信（例えばＢｌｕｅｔｏｏｔｈや赤外線通信等）により外部のパーソナルコンピュータなどの装置と通信するものであってもよく、また、有線（例えばＵＳＢ等）により外部のパーソナルコンピュータ等の装置と通信するものであってもよい。
このように、生体情報測定装置２１が演算部１１及び表示部１２を備えていない構成であっても、検出器１０から送られてきた光量などの光学的情報を示す信号を外部の装置に送り、外部の装置において、検出器１０から送られてきた光量などの光学的情報を示す信号から、外部の装置のメモリ内に予め保持している、光量などの光学的情報と例えばグルコース濃度などの生体情報とを対応付ける対応表を利用して、グルコース濃度などの生体情報を求めることが出来、また、求められたグルコース濃度などの生体情報に関する情報を外部の装置において表示することが出来る。従って、生体情報測定装置２１が演算部１１及び表示部１２を備えていない構成であっても、第１の実施の形態と同等の効果を得ることが出来る。
さらに、本実施の形態では、穿刺針５は、穿刺針ホルダ３から脱着可能であるとしたが、これに限らない。穿刺針５は穿刺針ホルダ３に装着されたままであり、穿刺針５を穿刺針ホルダ３から抜くことが出来ない構成であっても構わない。
さらに、本実施の形態では、開口部がランセット本体８の先端部に設けられているとして説明したがこれに限らない。例えば、ランセット本体８が立方体をしていてもよく、ランセット本体８が立方体をしている場合にはランセット本体８の立方体の６つの面のうちいずれかの面の中央部に開口部９が設けられていても構わない。また、ランセット本体８が球形状をしていてもよく、ランセット本体８が球形状をしている場合には、ランセット本体８の球面上に開口部９が設けられていても構わない。このように、開口部９がランセット本体８の先端部以外の部分に設けられていても本実施の形態と同様の効果を得ることが出来る。
さらに、本発明のランセット駆動機構は、本実施の形態におけるバネ圧縮用ボタン１、バネ２、穿刺針ホルダ３、トリガボタン４に限らない。バネ２の代わりに空気シリンダーを用い、バネ圧縮用ボタン１の代わりに、空気シリンダーの内部に挿入され、空気シリンダーの内部の空気を圧縮することが出来るピストンを用いても構わない。この場合、ピストンを引くことによりシリンダーの内部に空気が導かれ、ピストンを押すことにより、シリンダーの内部に導かれた空気が圧縮される。そして、シリンダーの内部に導かれた空気が圧縮された状態で、トリガボタン４を押すことにより圧縮された空気の反発力により穿刺針ホルダ３が開口６の方向に移動する。このように、本発明のランセット駆動機構は、空気を圧縮し、圧縮した空気で穿刺針５を駆動するような構成であってもよい。
（第２の実施の形態）
次に、第２の実施の形態について説明する。
図３に、第２の実施の形態の生体情報測定装置２２の構成を示す。
第２の実施の形態の生体情報測定装置２２の第１の実施の形態との相違点は、第２の実施の形態の生体情報測定装置２２が図３で光ファイバ１４で示すように、穿刺針５の内部に光ファイバが挿入されている点である。
また、第２の実施の形態の生体情報測定装置２２の断面図は、穿刺針５の内部に光ファイバ１４が挿入される以外は、第１の実施の形態の図２と同様である。
次に、このような本実施の形態の動作を第１の相違点を中心に説明する。
第２の実施の形態の生体情報測定装置２２の動作は第１の実施の形態と以下の点を除いて同様である。
すなわち、血糖値を計測する際、第２の実施の形態の生体情報測定装置２２は、穿刺針５の内部に光ファイバ１４が挿入されているので、光源６から出射された光をより効率よく光学式血糖センサ２０の反応部に導くことが出来る。また、穿刺針５の内部に光ファイバ１４が挿入されているので、光学式血糖センサ２０の反応部から反射した光をより効率よく検出器１０に導くことが出来る。従って、第１の実施の形態の生体情報測定装置２１に比べてより正確な血糖値の計測が可能になる。
なお、本実施の形態では、穿刺針５の内部に光ファイバ１４が挿入されているとして説明したが、これに限らない。穿刺針５に溝が設けられており、この溝に光ファイバ１４が挿入されていても構わない。
このように、穿刺針５の中空部あるいは溝に、光ファイバなどの光伝導性の材料が充填または挿入されており、この穿刺針５を通して光学式血糖センサ２０に光源をあて、その結果生じた反射光、あるいは蛍光を上記穿刺針５を通して検出器１０にさらに効率よく導入することができる。
なお、第２の実施の形態では、穿刺針５が生体情報測定装置２２に用いられるとして説明したが、これに限らない。穿刺針５を他の用途に用いても構わない。
（第３の実施の形態）
次に、第３の実施の形態について説明する。図４に第３の実施の形態の生体情報測定装置２３の断面図を示す。
第３の実施の形態の生体情報測定装置２３の第１の実施の形態の生体情報測定装置２１との相違点は、第３の実施の形態では、穿刺針５ａが中空になっておらず、その代わりに、光ファイバ１５が、光源６及び検出器１０から開口部９まで穿刺針５ａの内部を通らずに配置されている点である。また、第３の実施の形態の生体情報測定装置２３の構成は、光ファイバ１５が設けられる点を除いて実施の形態で説明した図１と同様である。
それ以外は、第１の実施の形態と同様であるので、説明を省略する。
なお、本実施の形態の穿刺針５ａは本発明のランセット針の例である。
次に、このような本実施の形態の動作を説明する。
第３の実施の形態の生体情報測定装置２３の動作は第１の実施の形態と以下の点を除いて同様である。
すなわち、血糖値を計測する際、第３の実施の形態の生体情報測定装置２３は、光源６から出射された光を穿刺針５ａの内部を通過させる代わりに、穿刺針５ａとは別に設けられた光ファイバ１５によって開口部９まで導く。そして、開口部９まで導かれた光は、光学式血糖センサ２０の反応部に照射される。
また、光学式血糖センサ２０の反応部から反射した光は、開口部９に到達すると、光ファイバ１５に導かれて、検出器１０に到達する。
このように、穿刺針５ａの代わりに光ファイバ１５によって光源６から出た光を導き、また光学式血糖センサ２０の反応部から反射した光を検出器１０まで導いても、第１の実施の形態や第２の実施の形態と同等の効果を得ることが出来る。
【産業上の利用可能性】  以上説明したところから明らかなように、本発明は、携帯性のよい生体情報測定装置、及び生体情報測定方法を提供することが出来る。
また、本発明は、少量の血液を滴下した場合であっても正確に測定することが出来る生体情報測定装置、針、及び生体情報測定方法を提供することが出来る。
【図１】
2004110275.tif 000003
【図２】
2004110275.tif 000004
【図３】
2004110275.tif 000005
【図４】
2004110275.tif 000006
【手続補正書】
【提出日】平成16年9月7日(2004.9.7)
【手続補正００１】
【補正対象書類名】特許請求の範囲
【補正対象項目名】特許請求の範囲
【補正方法】変更
【補正の内容】
【特許請求の範囲】
【請求項１】
（補正後）  筐体と、
前記筐体に収納され、光を出射する光源と、
前記筐体に収納され、光を検出する光検出器と、
前記筐体に収納され、ランセット針を駆動するランセット駆動機構とを備え、
前記筐体に設けられた開口部を前記ランセット針が出入りし、
前記光源から出射された前記光は、前記開口部から出射し、
前記開口部に入射した光は、前記検出器に到達し、
前記開口部から出射した光は、センサーの試薬部で反射吸収され、
前記開口部に入射した光は、前記センサーの試薬部で反射した光である、生体情報測定装置。
【請求項２】
（削除）
【請求項３】
前記ランセット針の内部は光を透過させることが出来、
前記光源から出射された前記光は、前記ランセット針の内部を透過して前記開口部から出射され、
前記開口部に入射する前記光は、前記ランセット針の内部を透過して前記光検出器に到達する、請求項１記載の生体情報測定装置。
【請求項４】
前記ランセット針の内部には、光を導く光ファイバが挿入されている、請求項３記載の生体情報測定装置。
【請求項５】
前記光源から出射された前記光は、光ファイバによって前記開口部まで導かれ、前記開口部から出射し、
前記開口部に入射した前記光は、光ファイバによって前記光検出器まで導かれる、請求項１記載の生体情報測定装置。
【請求項６】
前記筐体に収納され、前記検出器により検出された結果から生体情報を算出する演算部と、
前記筐体に収納され、算出された前記生体情報を表示する表示部とを備えた、請求項１記載の生体情報測定装置。
【請求項７】
（補正後）  筐体と、
前記筐体に収納され、光を出射する光源と、
前記筐体に収納され、光を検出する光検出器と、
前記筐体に収納され、ランセット針を駆動するランセット駆動機構とを備えた生体情報測定装置を用いた生体情報測定方法であって、
前記筐体に設けられた開口部から前記ランセット針を出入りさせるステップと、
前記光源から出射された前記光を、前記開口部から出射させるステップと、
前記開口部に入射した光を、前記検出器に到達させるステップとを備え、
前記開口部から出射した光は、センサーの試薬部で反射吸収され、
前記開口部に入射した光は、前記センサーの試薬部で反射した光である、生体情報測定方法。
【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
筐体と、
前記筐体に収納され、光を出射する光源と、
前記筐体に収納され、光を検出する光検出器と、
前記筐体に収納され、ランセット針を駆動するランセット駆動機構とを備え、
前記筐体に設けられた開口部を前記ランセット針が出入りし、
前記光源から出射された前記光は、前記開口部から出射し、
前記開口部に入射した光は、前記検出器に到達し、
前記開口部から出射した光は、センサーの試薬部で反射吸収され、
前記開口部に入射した光は、前記センサーの試薬部で反射した光である、生体情報測定装置。
【請求項２】
前記ランセット針の内部は光を透過させることが出来、
前記光源から出射された前記光は、前記ランセット針の内部を透過して前記開口部から出射され、
前記開口部に入射する前記光は、前記ランセット針の内部を透過して前記光検出器に到達する、請求項１記載の生体情報測定装置。
【請求項３】
前記ランセット針の内部には、光を導く光ファイバが挿入されている、請求項２記載の生体情報測定装置。
【請求項４】
前記光源から出射された前記光は、光ファイバによって前記開口部まで導かれ、前記開口部から出射し、
前記開口部に入射した前記光は、光ファイバによって前記光検出器まで導かれる、請求項１記載の生体情報測定装置。
【請求項５】
前記筐体に収納され、前記検出器により検出された結果から生体情報を算出する演算部と、
前記筐体に収納され、算出された前記生体情報を表示する表示部とを備えた、請求項１記載の生体情報測定装置。
【請求項６】
筐体と、
前記筐体に収納され、光を出射する光源と、
前記筐体に収納され、光を検出する光検出器と、
前記筐体に収納され、ランセット針を駆動するランセット駆動機構とを備えた生体情報測定装置を用いた生体情報測定方法であって、
前記筐体に設けられた開口部から前記ランセット針を出入りさせるステップと、
前記光源から出射された前記光を、前記開口部から出射させるステップと、
前記開口部に入射した光を、前記検出器に到達させるステップとを備え、
前記開口部から出射した光は、センサーの試薬部で反射吸収され、
前記開口部に入射した光は、前記センサーの試薬部で反射した光である、生体情報測定方法。
【手続補正２】
【補正対象書類名】明細書
【補正対象項目名】全文
【補正方法】変更
【補正の内容】
【発明の詳細な説明】
【技術分野】
【０００１】
本発明は、血糖値などの生体情報を光学的に計測する生体情報測定装置、針、及び生体情報測定方法に関するものである。
【背景技術】
【０００２】
通常は、血糖値測定の場合、ランセット装置と測定器は別々な装置であり、それぞれ独立して使用していた。光学式の血糖計では、血液を反応部に滴下すると血液が血球フィルタを通して反応試薬と反応し、その呈色変化を測定することにより血液中に含まれているグルコース濃度を測定していた。
【０００３】
すなわち、光学式の血糖計を用いて血糖値を測定する場合、まずはじめに、ランセット装置を用いて、採血する。ランセット装置は、例えばランセット針を駆動するためのスプリングを緊張させることにより動作可能になる。ランセット装置のスプリングを緊張させた後、指裏や耳朶のような採血を行う身体の部位にランセット装置を移動する。そして、ランセット装置に設けられているトリガボタンを押すことにより、スプリングが解放されて、ランセット針が採血を行う身体の部位を穿刺する。
【０００４】
次に、ランセット針を穿刺することによって出血した血液を光学式血糖計に装着された光学式血糖センサの反応部に滴下する。光学式血糖センサの反応部に滴下された血液は、血球フィルタを通して反応薬と反応して、呈色変化を示す。次に、光学式血糖計を動作させて、光学式血糖センサの反応部の呈色変化を測定する。このようにして血液中に含まれているグルコース濃度を測定する。
【０００５】
このように、従来の光学式の血糖計では、ランセット装置と測定器（光学式血糖計）とは別々の装置であった。
【０００６】
また、血糖センサ測定器とランセットデバイスを合体化したものがあった（例えば特許文献１を参照。）。
【特許文献１】特表２００１−５２４６８０号公報
【発明の開示】
【発明が解決しようとする課題】
【０００７】
従来の技術では、ランセット装置とセンサ装置が別々あるいは、それぞれの大きさのままで合体して携帯していたため携帯性に課題があった。
【０００８】
一方、光学式血糖計などの生体情報を測定する装置では少量の血液を滴下すると滴下部全体に血液が広がらず、この状態で光学測定すると呈色変化が起こっていない部分の光学的情報まで測定するため、測定ノイズとなっていた。
【０００９】
本発明は、上記課題を考慮し、携帯性のよい生体情報測定装置、及び生体情報測定方法を提供することを目的とするものである。
【００１０】
また、本発明は、上記課題を考慮し、少量の血液を滴下した場合であっても正確に測定することが出来る生体情報測定装置、針、及び生体情報測定方法を提供することを目的とするものである。
【課題を解決するための手段】
【００１１】
上述した課題を解決するために、第１の本発明は、筐体と、
前記筐体に収納され、光を出射する光源と、
前記筐体に収納され、光を検出する光検出器と、
前記筐体に収納され、ランセット針を駆動するランセット駆動機構とを備え、
前記筐体に設けられた開口部を前記ランセット針が出入りし、
前記光源から出射された前記光は、前記開口部から出射し、
前記開口部に入射した光は、前記検出器に到達する、生体情報測定装置である。
【００１２】
また、第２の本発明は、前記開口部から出射した光は、センサーの試薬部で反射吸収され、
前記開口部に入射した光は、前記センサーの試薬部で反射した光である、第１の本発明の生体情報測定装置である。
【００１３】
また、第３の本発明は、前記ランセット針の内部は光を透過させることが出来、
前記光源から出射された前記光は、前記ランセット針の内部を透過して前記開口部から出射され、
前記開口部に入射する前記光は、前記ランセット針の内部を透過して前記光検出器に到達する、第１の本発明の生体情報測定装置である。
【００１４】
また、第４の本発明は、前記ランセット針の内部には、光を導く光ファイバが挿入されている、第３の本発明の生体情報測定装置である。
【００１５】
また、第５の本発明は、前記光源から出射された前記光は、光ファイバによって前記開口部まで導かれ、前記開口部から出射し、
前記開口部に入射した前記光は、光ファイバによって前記光検出器まで導かれる、第１の本発明の生体情報測定装置である。
【００１６】
また、第６の本発明は、前記筐体に収納され、前記検出器により検出された結果から生体情報を算出する演算部と、
前記筐体に収納され、算出された前記生体情報を表示する表示部とを備えた、第１の本発明の生体情報測定装置である。
【００１７】
また、第７の本発明は、筐体と、
前記筐体に収納され、光を出射する光源と、
前記筐体に収納され、光を検出する光検出器と、
前記筐体に収納され、ランセット針を駆動するランセット駆動機構とを備えた生体情報測定装置を用いた生体情報測定方法であって、
前記筐体に設けられた開口部から前記ランセット針を出入りさせるステップと、
前記光源から出射された前記光を、前記開口部から出射させるステップと、
前記開口部に入射した光を、前記検出器に到達させるステップとを備えた、生体情報測定方法である。
【００１８】
また、第８の本発明は、生体情報の測定に用いられる針であって、
内部が中空であるまたは溝が設けられた針本体と、
前記針の内部または前記溝に挿入された、光を導く光ファイバとを備えた、針である。
【発明の効果】
【００１９】
本発明は、携帯性のよい生体情報測定装置、及び生体情報測定方法を提供することが出来る。
【００２０】
また、本発明は、少量の血液を滴下した場合であっても正確に測定することが出来る生体情報測定装置、針、及び生体情報測定方法を提供することが出来る。
【発明を実施するための最良の形態】
【００２１】
以下に、本発明の実施の形態を図面を参照して説明する。
【００２２】
（第１の実施の形態）
図１は、第１の実施の形態における生体情報測定装置２１の構成を示す図である。また、図２（ａ）、（ｂ）に生体情報測定装置２１の断面図を示す。図２（ａ）は、穿刺前の生体情報測定装置２１の断面図であり、図２（ｂ）は、穿刺後の生体情報測定装置２１の断面図である。図１では、理解を容易にするために、特にランセット本体８の開口部９付近を拡大した図も併記している。
【００２３】
図２（ａ）、図２（ｂ）に示すように、生体情報測定装置２１の筐体であるランセット本体８には、バネ２、穿刺針ホルダ３、光源６、電池７、検出器１０、演算部１１、及び表示部１２が内蔵されている。
【００２４】
また、ランセット本体８の先端部には、穿刺針５が出入りする開口部９が設けられており、ランセット本体８の開口部９の反対側には、バネ圧縮用ボタン１が設けられており、バネ圧縮用ボタン１はバネ２を圧縮可能なようにバネ２と接続している。そして、ランセット本体８の側面には、トリガボタン４が配置されている。穿刺針ホルダ３には、穿刺針ホルダ３から脱着可能な穿刺針５が装着されている。この穿刺針５の内部は、図１の中空１３に示すように中空になっており、穿刺針５の内部を光が通過可能な状態になっている。
【００２５】
穿刺針５の内部直径はいずれの大きさでもよいが、０．５ｍｍ以内であることが好ましい。また、光源あるいは、検出器から針先端までの距離はできる限り短い方がよいが、１０ｍｍ以内であることが好ましい。
【００２６】
穿刺針ホルダ３には、演算部１１が内蔵されており、また、穿刺針ホルダ３には、光源６、電池７、及び検出器１０が装着されている。
【００２７】
また、電池７と、光源６、検出器１０、演算部１１、及び表示部１２とは、図示していない電源供給配線により接続されている。また、検出器１０と演算部１１とは信号をやりとりするための信号配線により接続されており、演算部１１と表示部１２とは、信号をやりとりするための信号配線により接続されている。
【００２８】
また、光源６としては、レーザーダイオード、ＬＥＤなどを用いることが出来、検出器１０としては、フォトダイオード、ＣｄＳなどの光電変換素子などを用いることが出来る。
【００２９】
なお、本実施の形態のバネ圧縮用ボタン１、バネ２、穿刺針ホルダ３、トリガボタン４は、本発明のランセット駆動機構の例であり、本実施の形態のランセット本体８は本発明の筐体の例であり、本実施の形態の検出器１０は本発明の光検出器の例であり、本実施の形態の穿刺針５は本発明のランセット針の例である。
【００３０】
次に、このような本実施の形態の動作を説明する。
【００３１】
まず、生体情報測定装置２１が指裏や耳朶のような採血を行う身体の部位を穿刺する動作について説明する。
【００３２】
穿刺針５としては２８Ｇ（ゲージ）のものを使用する。まず、この穿刺針５を利用して、指先をランシングする。すなわち、生体情報測定装置２１は、最初は図２（ｂ）の状態にあるとする。ただし、穿刺針５はまだ穿刺針ホルダ３には装着されていない。そして、バネ２は伸長した状態にある。まず、この状態で、穿刺針ホルダ３に穿刺針５を装着する。そうすると、生体情報測定装置２１は、図２（ｂ）の状態になる。
【００３３】
次に、ランセット本体８を保持し、バネ圧縮用ボタン１をランセット本体８とは反対側に引っ張る。そうすると、バネ圧縮用ボタン１がランセット本体８とは反対側に移動し、それにともないバネ２が圧縮される。穿刺針ホルダ３に設けられている突起が、トリガボタン４よりバネ圧縮用ボタン１の側に移動するまで、バネ圧縮用ボタン１を引っ張る。そうすると、穿刺針ホルダ３に設けられている突起がトリガボタン４に引っかかって、バネ２が圧縮したまま固定される。そして、穿刺針ホルダ３に設けられている突起が、トリガボタン４よりバネ圧縮用ボタン１の側に移動するまで、バネ圧縮用ボタン１を引っ張った後、バネ圧縮用ボタン１をランセット本体８に密着する位置に戻す。このようにして、図２（ａ）の状態が得られる。
【００３４】
次に、生体情報測定装置２１を指裏や耳朶のような採血を行う身体の部位に移動し、ランセット本体８に設けられた開口部９を採血を行う身体の部位に位置決め後、トリガボタン４を押す。すると、穿刺針ホルダ３に設けられた突起がトリガボタン４から解放され、バネ２が伸長し、開口部から穿刺針５が出て行き、採血を行う身体の部位を穿刺針５が穿刺する。このようにして、生体情報測定装置２１は、図２（ｂ）の状態になる。
【００３５】
また、穿刺針５を採血を行う身体の部位に穿刺した際、採血を行う身体の部位から出血した血液は穿刺針５にほとんど付着しない。従って、穿刺針５の内部は、穿刺後も中空のままである。
【００３６】
以上、生体情報測定装置２１が指裏や耳朶のような採血を行う身体の部位を穿刺する動作について説明した。
【００３７】
次に、血糖値を計測する際の動作を説明する。
【００３８】
すなわち、採血を行う身体の部位から出血した血液を図１の光学式血糖センサ２０の反応部に滴下する。そうすると、光学式血糖センサ２０の反応部に滴下された血液は、血球フィルタを通して反応薬と反応して、呈色変化を示す。
【００３９】
血糖値を計測する際、まず、生体情報測定装置２１を、図１に示すように、光学式血糖センサ２０の反応部に移動し、位置決めする。このとき生体情報測定装置２１は図２（ｂ）の状態にある。
【００４０】
次に、生体情報測定装置２１に設けられている計測ボタン（図示せず）を押すことにより、光源６から光が出射される。出射された光は、中空になっている穿刺針５の内部を通過した後、開口部９から出射され、光学式血糖センサ２０の反応部に照射される。そして、反応部に照射された光は、反応部で反射吸収して、開口部９に入射した後、中空になっている穿刺針５の内部を通過し、検出器１０に到達する。検出器１０で検出された信号が演算部１１に送られる。すなわち、６０ヘルツ周期で光源６を光学式血糖センサ２０に穿刺針５を通して照射するとともに、同時に位相差の違う６０ヘルツで同じ穿刺針５を通して測定する。
【００４１】
演算部１１は、検出器１０から送られてきた光量などの光学的情報を示す信号から、演算部１１が保持しているメモリ内に予め保持している、光量などの光学的情報とグルコース濃度とを対応付ける対応表を利用して、グルコース濃度１１を求める。そして、演算部１１が求めたグルコース濃度に関する情報は、表示部１２に送られる。
【００４２】
表示部１２は、演算部１１から送られてきたグルコース濃度を表示する。
【００４３】
また、光学式血糖センサ２０の反応部に少量の血液を滴下すると滴下部全体に血液が広がらず、光学式血糖センサ２０の反応部に呈色変化が起こっていない部分が生じることがある。
【００４４】
このような場合、従来の光学式血糖計では、光学式血糖センサを光学式血糖計に装着して計測するために、光学式血糖計から出射された光が光学式血糖センサの反応部の呈色反応が起こっていない部分に照射された場合には、測定ノイズとなっていた。
【００４５】
ところが、本実施の形態の生体情報測定装置２１では、光学式血糖センサを生体情報測定装置２１に装着しないので、光源６から出射され、穿刺針５の内部を通過した光が、光学式血糖センサ２０の反応部の呈色反応が起こっていない部分に照射された場合であっても、生体情報測定装置２１を移動させることにより、穿刺針５の内部を通過した光が、呈色反応が起こっている部分に照射されるように調整することが容易に出来る。すなわち、光学式血糖センサ２０の反応部に照射された光のスポットが目視により確認出来るので、生体情報測定装置２１を移動させることにより、この光のスポットを呈色反応が起こっている位置に移動させることが出来る。また、さらに、穿刺針５の先端から光が光学式血糖センサ２０に照射されるので、光のスポットを光学式血糖センサ２０の反応部の呈色反応が起こっている部分に位置決めする際の目安として穿刺針５を利用することも出来る。この光のスポットが呈色反応が起こっている位置に移動した後に、再度計測ボタンを押すことにより、呈色変化が起こっていない部分の光学的情報を測定することがなくなる。従って、測定ノイズは発生しない。このように本実施の形態の生体情報測定装置２１は、光学式血糖センサ２０に対して自由に移動することが出来るので、容易に呈色反応が起こっている部分の光学的情報を測定することが出来る。
【００４６】
なお、本実施の形態では、穿刺針５は中空であるとして説明したが、これに限らず、溝を有しているような形状であっても構わない。
【００４７】
このように、本実施の形態の生体情報測定装置２１は、中空針あるいは溝を有している穿刺可能な形状を有している穿刺針５の溝あるいは、中空孔を通して光学式血糖センサ２０に光源をあて、その結果生じた反射光、あるいは蛍光を穿刺針５の中空孔または溝を通して検出器１０に導入することができる。
【００４８】
本実施の形態の生体情報測定装置２１は、ランセット装置と測定器とが一体化された構造を有しているので、携帯性が向上する。また、光学式血糖センサ２０上で血液と試薬との反応部のみに照射光を当てることができ、未反応部からのノイズを除去することができる。
【００４９】
なお、本実施の形態では血糖値を計測するとして説明したが、これに限らない。血糖値以外の他の生体情報を計測しても構わない。
【００５０】
なお、本実施の形態では、計測ボタンを一回目に押した際に光源６から光が出射され、計測ボタンを二回目に押した際に、検出器１０で光量などの光学的情報の検出が行われるとして説明したが、これに限らない。計測ボタンを一回目に押した際、光源６から光が出射され、同時に検出器１０で光量などの光学的情報の検出が行われ、演算部１１でグルコース濃度などの生体情報が求められ表示部１２にグルコース濃度などの生体情報が表示される。そして、このような動作を所定時間の間繰り返し、所定時間が経過後、求められたグルコース濃度などの生体情報の最大値で表示部１２がホールドするようにする。このようにすれば、生体情報測定装置２１を、光学式血糖センサ２０に対して自由に移動したとしても、求められたグルコース濃度などの生体情報の最大値でホールドし、表示部１２にホールドした最大値が表示されるので、光学式血糖センサ２０の反応部の十分呈色反応が生じた部分に穿刺針５からの光が照射された際のグルコース濃度などの生体情報の値を知ることが出来る。
【００５１】
なお、本実施の形態では、生体情報測定装置２１の筐体であるランセット本体８には、演算部１１、及び表示部１２が内蔵されているとして説明したが、これに限らない。生体情報測定装置２１の筐体であるランセット本体８に、演算部１１、及び表示部１２が内臓されていない構成であっても構わない。このような場合、演算部１１及び表示部１２は、外部のパーソナルコンピュータなどの装置に設けられているものとする。そして、生体情報測定装置２１は、検出器１０から送られてきた光量などの光学的情報を示す信号を外部のパーソナルコンピュータなどの装置に送り、外部のパーソナルコンピュータなどの装置が、演算部１１及び表示部１２の機能を果たすものとする。また、このような場合、生体情報測定装置２１は、検出器１０から送られてきた光量などの光学的情報を示す信号を外部のパーソナルコンピュータなどの装置に送るための通信インターフェースを備えているものとする。この通信インターフェースは、無線通信（例えばＢｌｕｅｔｏｏｔｈや赤外線通信等）により外部のパーソナルコンピュータなどの装置と通信するものであってもよく、また、有線（例えばＵＳＢ等）により外部のパーソナルコンピュータ等の装置と通信するものであってもよい。
【００５２】
このように、生体情報測定装置２１が演算部１１及び表示部１２を備えていない構成であっても、検出器１０から送られてきた光量などの光学的情報を示す信号を外部の装置に送り、外部の装置において、検出器１０から送られてきた光量などの光学的情報を示す信号から、外部の装置のメモリ内に予め保持している、光量などの光学的情報と例えばグルコース濃度などの生体情報とを対応付ける対応表を利用して、グルコース濃度などの生体情報を求めることが出来、また、求められたグルコース濃度などの生体情報に関する情報を外部の装置において表示することが出来る。従って、生体情報測定装置２１が演算部１１及び表示部１２を備えていない構成であっても、第１の実施の形態と同等の効果を得ることが出来る。
【００５３】
さらに、本実施の形態では、穿刺針５は、穿刺針ホルダ３から脱着可能であるとしたが、これに限らない。穿刺針５は穿刺針ホルダ３に装着されたままであり、穿刺針５を穿刺針ホルダ３から抜くことが出来ない構成であっても構わない。
【００５４】
さらに、本実施の形態では、開口部がランセット本体８の先端部に設けられているとして説明したがこれに限らない。例えば、ランセット本体８が立方体をしていてもよく、ランセット本体８が立方体をしている場合にはランセット本体８の立方体の６つの面のうちいずれかの面の中央部に開口部９が設けられていても構わない。また、ランセット本体８が球形状をしていてもよく、ランセット本体８が球形状をしている場合には、ランセット本体８の球面上に開口部９が設けられていても構わない。このように、開口部９がランセット本体８の先端部以外の部分に設けられていても本実施の形態と同様の効果を得ることが出来る。
【００５５】
さらに、本発明のランセット駆動機構は、本実施の形態におけるバネ圧縮用ボタン１、バネ２、穿刺針ホルダ３、トリガボタン４に限らない。バネ２の代わりに空気シリンダーを用い、バネ圧縮用ボタン１の代わりに、空気シリンダーの内部に挿入され、空気シリンダーの内部の空気を圧縮することが出来るピストンを用いても構わない。この場合、ピストンを引くことによりシリンダーの内部に空気が導かれ、ピストンを押すことにより、シリンダーの内部に導かれた空気が圧縮される。そして、シリンダーの内部に導かれた空気が圧縮された状態で、トリガボタン４を押すことにより圧縮された空気の反発力により穿刺針ホルダ３が開口６の方向に移動する。このように、本発明のランセット駆動機構は、空気を圧縮し、圧縮した空気で穿刺針５を駆動するような構成であってもよい。
【００５６】
（第２の実施の形態）
次に、第２の実施の形態について説明する。
【００５７】
図３に、第２の実施の形態の生体情報測定装置２２の構成を示す。
【００５８】
第２の実施の形態の生体情報測定装置２２の第１の実施の形態との相違点は、第２の実施の形態の生体情報測定装置２２が図３で光ファイバ１４で示すように、穿刺針５の内部に光ファイバが挿入されている点である。
【００５９】
また、第２の実施の形態の生体情報測定装置２２の断面図は、穿刺針５の内部に光ファイバ１４が挿入される以外は、第１の実施の形態の図２と同様である。
【００６０】
次に、このような本実施の形態の動作を第１の相違点を中心に説明する。
【００６１】
第２の実施の形態の生体情報測定装置２２の動作は第１の実施の形態と以下の点を除いて同様である。
【００６２】
すなわち、血糖値を計測する際、第２の実施の形態の生体情報測定装置２２は、穿刺針５の内部に光ファイバ１４が挿入されているので、光源６から出射された光をより効率よく光学式血糖センサ２０の反応部に導くことが出来る。また、穿刺針５の内部に光ファイバ１４が挿入されているので、光学式血糖センサ２０の反応部から反射した光をより効率よく検出器１０に導くことが出来る。従って、第１の実施の形態の生体情報測定装置２１に比べてより正確な血糖値の計測が可能になる。
【００６３】
なお、本実施の形態では、穿刺針５の内部に光ファイバ１４が挿入されているとして説明したが、これに限らない。穿刺針５に溝が設けられており、この溝に光ファイバ１４が挿入されていても構わない。
【００６４】
このように、穿刺針５の中空部あるいは溝に、光ファイバなどの光伝導性の材料が充填または挿入されており、この穿刺針５を通して光学式血糖センサ２０に光源をあて、その結果生じた反射光、あるいは蛍光を上記穿刺針５を通して検出器１０にさらに効率よく導入することができる。
【００６５】
なお、第２の実施の形態では、穿刺針５が生体情報測定装置２２に用いられるとして説明したが、これに限らない。穿刺針５を他の用途に用いても構わない。
【００６６】
（第３の実施の形態）
次に、第３の実施の形態について説明する。図４に第３の実施の形態の生体情報測定装置２３の断面図を示す。
【００６７】
第３の実施の形態の生体情報測定装置２３の第１の実施の形態の生体情報測定装置２１との相違点は、第３の実施の形態では、穿刺針５ａが中空になっておらず、その代わりに、光ファイバ１５が、光源６及び検出器１０から開口部９まで穿刺針５ａの内部を通らずに配置されている点である。また、第３の実施の形態の生体情報測定装置２３の構成は、光ファイバ１５が設けられる点を除いて実施の形態で説明した図１と同様である。
【００６８】
それ以外は、第１の実施の形態と同様であるので、説明を省略する。
【００６９】
なお、本実施の形態の穿刺針５ａは本発明のランセット針の例である。
【００７０】
次に、このような本実施の形態の動作を説明する。
【００７１】
第３の実施の形態の生体情報測定装置２３の動作は第１の実施の形態と以下の点を除いて同様である。
【００７２】
すなわち、血糖値を計測する際、第３の実施の形態の生体情報測定装置２３は、光源６から出射された光を穿刺針５ａの内部を通過させる代わりに、穿刺針５ａとは別に設けられた光ファイバ１５によって開口部９まで導く。そして、開口部９まで導かれた光は、光学式血糖センサ２０の反応部に照射される。
【００７３】
また、光学式血糖センサ２０の反応部から反射した光は、開口部９に到達すると、光ファイバ１５に導かれて、検出器１０に到達する。
【００７４】
このように、穿刺針５ａの代わりに光ファイバ１５によって光源６から出た光を導き、また光学式血糖センサ２０の反応部から反射した光を検出器１０まで導いても、第１の実施の形態や第２の実施の形態と同等の効果を得ることが出来る。
【産業上の利用可能性】
【００７５】
本発明にかかる生体情報測定装置、及び生体情報測定方法は、携帯性のよいという効果を有し、血糖値などの生体情報を光学的に計測する生体情報測定装置、針、及び生体情報測定方法等に有用である。
【００７６】
本発明にかかる生体情報測定装置、及び生体情報測定方法は、少量の血液を滴下した場合であっても正確に測定することが出来るという効果を有し、血糖値などの生体情報を光学的に計測する生体情報測定装置、針、及び生体情報測定方法等に有用である。
【図面の簡単な説明】
【００７７】
【図１】本発明の第１の実施の形態における生体情報測定装置の構成を示す図である。
【図２】（ａ）本発明の第１の実施の形態における生体情報測定装置の穿刺前の断面図を示す図である。
【００７８】
（ｂ）本発明の第１の実施の形態における生体情報測定装置の穿刺後の断面図を示す図である。
【図３】本発明の第２の実施の形態における生体情報測定装置の構成を示す図である。
【図４】（ａ）本発明の第３の実施の形態における生体情報測定装置の穿刺前の断面図を示す図である。
【００７９】
（ｂ）本発明の第３の実施の形態における生体情報測定装置の穿刺後の断面図を示す図である。
【符号の説明】
【００８０】
１  バネ圧縮用ボタン
２  バネ
３  穿刺針ホルダ
４  トリガボタン
５  穿刺針
５ａ  穿刺針
６  光源
７  電池
８  ランセット本体
９  開口部
１０  検出器
１１  演算部
１２  表示部
１４  光ファイバ
１５  光ファイバ
【国際調査報告】
2004110275.tif 000007
2004110275.tif 000008
2004110275.tif 000009
2004110275.tif 000010
2004110275.tif 000011
2004110275.tif 000012
2004110275.tif 000013